(57)【要約】  【課題】シールゴムの交換性を向上させ、また、シリンダの清掃時の脱着性を向上させたカップ式自動販売機の抽出装置を提供するものである。  【解決手段】ピストン８の外周に溝９を形成し、この溝９にシールリング１０を装着することにより、シールリング１０の交換性を向上させることができる。また、シリンダ１２内に空気を送る空気注入口２１をピストン８に形成したことにより、シリンダ１２の清掃時の脱着性を向上させることができる。【選択図】図１
2007041745.tif 000002
【特許請求の範囲】
【請求項１】
外周に溝を形成したピストンと、前記溝に装着する弾性体からなるシールリングとを備えたカップ式自動販売機の抽出装置。
【請求項２】
シリンダ内に空気を送る空気注入口をピストンに形成したカップ式自動販売機の抽出装置。
【請求項３】
シリンダ内に湯を投入する湯ノズルを形成したピストンと、前記ピストンの上端に回動自在に形成した回転軸と、前記ピストンに装着したベアリングと、前記ピストン上昇時に前記湯ノズルの出口が垂直方向に向くよう前記ベアリングをガイドするガイド板とを備えたカップ式自動販売機の抽出装置。
【請求項４】
湯ノズルの湯出口に挿入するシャワーノズルと、前記シャワーノズルに装着するシャワープレートとを備え、前記シャワーノズルを弾性体とした請求項３に記載のカップ式自動販売機の抽出装置。
【請求項５】
シールリングを、ピストンの溝への圧入部の外周にスクレーパーとその上部に山形のシール部を形成した請求項１に記載のカップ式自動販売機の抽出装置。
【請求項６】
シールリングをＯリングとした請求項１に記載のカップ式自動販売機の抽出装置。
【発明の詳細な説明】
【技術分野】
【０００１】
本発明は、レギュラーコーヒーを抽出するカップ式自動販売機の抽出装置に関するものである。
【背景技術】
【０００２】
従来この種のカップ式自動販売機の抽出装置としては、例えば、ピストンにシールゴムを一体成型し、空気注入口をシリンダに設け、粉を湯でシリンダ内に流し込むものもある（特許文献１参照）。
【０００３】
図６は、従来のカップ式自動販売機の抽出装置の部分断面図を示すものである。図６において、ピストン１にシールパッキン２を一体成型している。シリンダ３上部に形成された樋４の上方に湯ノズル５と粉シュート６を配置しており。樋４上に落下した粉を湯でシリンダ３内に流し込む。シリンダ３側面に空気注入口７を設けており、シリンダ３上面をピストン１にてシールした後、空気注入口７より空気を送り込み、シリンダ３下面より液を送出していた。
【特許文献１】特公平７−１０４９７９号公報
【発明の開示】
【発明が解決しようとする課題】
【０００４】
しかしながら、前記従来の構成では、ピストンとシールゴムを一体成型しているためシールゴムが破損したときピストンまで交換しなければならなく、工具を必要としていた。
【０００５】
本発明は、上記従来の課題を解決するもので、シールゴムの交換性の向上を目的としたものである。
【課題を解決するための手段】
【０００６】
前記従来の課題を解決するために、本発明のカップ式自動販売機の抽出装置は、ピストンの外周に溝を形成し、この溝にシールリングを装着したものである。これにより、シールリングの交換性を向上させるものである。
【発明の効果】
【０００７】
本発明のカップ式自動販売機の抽出装置は、シールリングの交換性を向上させることができる。
【発明を実施するための最良の形態】
【０００８】
第１の発明は、ピストンの外周に溝を形成し、この溝にシールリングを装着することにより、シールリングの交換性を向上させることができる。
【０００９】
第２の発明は、シリンダ内に空気を送る空気注入口をピストンに形成したことにより、シリンダの清掃時の脱着性を向上させることができる。
【００１０】
第３の発明は、ピストンに湯ノズルを形成し、ピストン上昇時に湯ノズルが垂直方向に向けることによりシリンダ内の粉に均一に湯をかけることができる。
【００１１】
第４の発明は、湯ノズルの湯出口に弾性体でできたシャワーノズルを挿入し、これにシャワープレートを装着することにより、シリンダ内の粉により均一に湯をかけることができ、また、シャワープレートの清掃時の脱着性を向上させることができる。
【００１２】
第５の発明は、第１の発明のシールリングをピストンの溝への圧入部の外周にスクレーパーとその上部に山形のシール部を形成することにより、シール性を向上させることができる。
【００１３】
第６の発明は、第１の発明のシールリングをＯリングとすることにより、消耗部品として市販性をもたすことができる。
【００１４】
以下、本実施の形態について、図面を参照にしながら説明する。なお、本発明の実施の形態によって本発明が限定されるものではない。
【００１５】
（実施の形態１）
図１は、本発明の実施の形態１におけるカップ式自動販売機の抽出装置の部分断面図、図２は、同実施の形態のカップ式自動販売機の抽出装置の部分側面図、図３は、同実施の形態のカップ式自動販売機の抽出装置の全体側面図、図４は、同実施の形態のカップ式自動販売機の抽出装置のシール部断面図を示すものである。
【００１６】
図１において、ピストン８の外周に溝９を形成し、この溝９にシールリング１０を着脱可能に装着している。
【００１７】
シールリング１０は、ピストン８の溝９に嵌る圧入部１１と、圧入部１１の外周にシリンダ１２に付着した粉を押しのけるスクレーパー１３と、その上部に山形のシール部１４を形成している。ピストン８上部に湯タンク１５の湯弁１６とつながる湯ノズル１７を形成し、湯ノズル１７の出口１８は右斜め下方向を向いている。また、この湯ノズル１７の出口１８には、弾性体でできたシャワーノズル１９が挿入され、このシャワーノズル１９の下端に複数個の小さな穴の開いたシャワープレート２０が着脱自在に装着されている。ピストン８は中空となっており、湯ノズル１７の下方に空気注入口２１が形成され、中空部２２と連結している。図２において、ピストン８上端にピストン８を回動自在に軸支する回転軸８ａを設け、ピストン８中央部にベアリング２３を取り付け、このベアリング２３と当接するガイド穴２４を有するガイド板２５を設け、このガイド穴２４はピストン８上昇時に湯ノズル１７が垂直方向を向くよう上部が左斜め上方に傾斜している。
【００１８】
以上のように構成されたカップ式自動販売機の抽出装置の動作について説明する。
【００１９】
図３において、コーヒー豆２６が収納された原料貯蔵庫２７より搬出された豆が、固定シュート２８を通りミル２９に供給される。ミル２９出口に当接する可動式のシュート３０の下端がシリンダ１２上に移動し、ミル２９にて挽かれたコーヒー粉がシリンダ１２内に供給される。湯タンク１５の湯弁１６が開き、湯が湯ノズル１７を通りシャワープレート２０によりシリンダ１２内のコーヒー粉全体に湯がシャワー状にかけられる。ピストン８が下降してシリンダ１２上部を封止し、空気供給口２１より空気がエアーポンプ３１より供給され、シリンダ１２下部のフィルターブロック３２よりコーヒーが抽出される。抽出後、フィルターブロック３２が下降し、紙送り装置３３により抽出滓が滓バケツ３４に送られる。
【００２０】
以上のように、本実施の形態においては、ピストン８の外周に溝９を形成し、この溝９にシールリング１０を装着することにより、シールリング１０の交換性を向上させることができる。また、シリンダ１２内に空気を送る空気注入口２１をピストン８に形成したことにより、シリンダ１２の清掃時の脱着性を向上させることができる。また、ピストン８に湯ノズル１７を形成し、ピストン８上昇時に湯ノズル１７が垂直方向に向けることによりシリンダ１２内の粉に均一に湯をかけることができる。湯ノズル１７の湯出口１８に弾性体でできたシャワーノズル１９を挿入し、これにシャワープレート２０を装着することにより、シリンダ１２内の粉により均一に湯をかけることができ、また、シャワープレート２０の清掃時の脱着性を向上させることができる。シールリング１０をピストン８の溝９への圧入部１１の外周にスクレーパー１３とその上部に山形のシール部１４を形成することにより、シール性を向上させることができる。また、シリンダ１２に粉を供給するシュート３０を可動式にすることで、湯投入時に湯気でシュート３０が濡れて粉が詰まることがない。
【００２１】
（実施の形態２）
図５は、本発明の実施の形態２におけるカップ式自動販売機の抽出装置のシール部断面図を示すものである。本実施の形態では、Ｏリング３５をピストン８外周に形成された溝９に装着とすることにより、消耗部品として市販性をもたすことができる。
【産業上の利用可能性】
【００２２】
以上のように、本発明にかかるカップ式自動販売機の抽出装置は、スクレーパー付のシールリングを簡単に付け替えることができるので、粉塵の多い環境に設置される圧縮装置等の用途にも適用できる。
【図面の簡単な説明】
【００２３】
【図１】本発明の実施の形態１におけるカップ式自動販売機の抽出装置の部分断面図
【図２】本発明の実施の形態１におけるカップ式自動販売機の抽出装置の部分側面図
【図３】本発明の実施の形態１におけるカップ式自動販売機の抽出装置の全体側面図
【図４】本発明の実施の形態１におけるカップ式自動販売機の抽出装置のシール部断面図
【図５】本発明の実施の形態２におけるカップ式自動販売機の抽出装置のシール部断面図
【図６】従来のカップ式自動販売機の抽出装置の部分断面図
【符号の説明】
【００２４】
８    ピストン
８ａ  回転軸
９    溝
１０  シールリング
１１  圧入部
１２  シリンダ
１３  スクレーパー
１４  シール部
１７  湯ノズル
１９  シャワーノズル
２０  シャワープレート
２１  空気注入口
２３  ベアリング
２５  ガイド板
３５  Ｏリング
【図１】
2007041745.tif 000003
【図２】
2007041745.tif 000004
【図３】
2007041745.tif 000005
【図４】
2007041745.tif 000006
【図５】
2007041745.tif 000007
【図６】
2007041745.tif 000008